(57)【要約】【課題】栓刃挿入孔から筐体内に水や埃が入るのを防ぐことができるテーブルタップを提供する。【解決手段】３極プラグＰの電圧極の一対の栓刃Ｐ１，Ｐ２がそれぞれ挿入される栓刃挿入孔２ａ，２ｂ及び３極プラグＰの接地極の栓刃Ｐ３が挿入される栓刃挿入孔２ｃを１組とした３組のプラグ差込口２を備える筐体１と、筐体１内に収納されて各栓刃挿入孔２ａ〜２ｃに挿入された一対の電圧極の栓刃Ｐ１，Ｐ２及び接地極の栓刃Ｐ３がそれぞれ接触接続される刃受部とを備え、プラグ差込口２の筐体１外側における栓刃挿入孔２ａ〜２ｃの周縁部に、該栓刃挿入孔２ａ〜２ｃを囲繞するとともにプラグ差込口２と窓孔１２の縁部との間に介在する外側パッキン部３を一体成形した。【選択図】図１
2008135232.tif 000002
【特許請求の範囲】
【請求項１】
プラグの電圧極の一対の栓刃がそれぞれ挿入される栓刃挿入孔及びプラグの接地極の栓刃が挿入される栓刃挿入孔を一組とした一乃至複数組のプラグ差込口を備えた筐体と、筐体内に収納されて各栓刃挿入孔に挿入された一対の電圧極の栓刃及び接地極の栓刃がそれぞれ接触接続される刃受部とを備えたテーブルタップであって、プラグ差込口の筐体外側における栓刃挿入孔の周縁部には、該栓刃挿入孔を囲繞するとともに、一対の電圧極の栓刃及び接地極の栓刃をそれぞれ栓刃挿入孔を介して刃受部に接触接続した際にプラグにおける筐体との対向面と密着する外側パッキン部が一体成形されたことを特徴とするテーブルタップ。
【請求項２】
前記外側パッキン部に囲繞された領域を一対の電圧極の栓刃が挿入される栓刃挿入孔を有する領域と接地極の栓刃が挿入される栓刃挿入孔を有する領域とに分離し且つ電圧極の栓刃及び接地極の栓刃をそれぞれ栓刃挿入孔を介して刃受部に接触接続した際にプラグにおける筐体との対向面と密着する分離パッキン部を設けたことを特徴とする請求項１記載のテーブルタップ。
【発明の詳細な説明】
【技術分野】
【０００１】
本発明は、テーブルタップに関する。
【背景技術】
【０００２】
従来から、テーブルタップの栓刃挿入孔から内部へのゴミ等の異物の侵入や、内部の刃受部等の充電部に触れることによる感電等を防止するために、テーブルタップにプラグを接続していない場合に栓刃挿入孔を遮蔽する扉を備えたテーブルタップが提供されており、例えば特許文献１に開示されている。この種のテーブルタップは、栓刃挿入孔を有するカバー及びボディからなる筐体を備え、その内部には、栓刃挿入孔から挿入されたプラグの栓刃を受ける複数の刃受部を各々有する２つの端子板と、端子板を納装する合成樹脂製の中ボディとが収納されるとともに、プラグの栓刃の挿抜に応じて栓刃挿入孔を開閉する挿入孔開閉手段が収納されている。ここにおいて、挿入孔開閉手段は、栓刃挿入孔と刃受部との間に、プラグの挿入方向に対して交差する方向にスライド移動自在に介装された扉部と、扉部が栓刃挿入孔を閉じる位置に移動するように扉部を付勢するばね部材とからなり、この扉部は、栓刃を栓刃挿入孔に挿入していない時には、ばね部材で付勢されて栓刃挿入孔を閉じる位置に移動し、栓刃を栓刃挿入孔に挿入したときには、ばね部材の付勢に逆らって栓刃挿入孔を開く位置に移動するように構成されている。
【特許文献１】特開２００４−２２１０３３号公報
【発明の開示】
【発明が解決しようとする課題】
【０００３】
しかしながら、上記従来例では、ゴミ等の比較的大きい異物の侵入は防止できていたが、プラグの挿入方向に対して交差する方向にスライドする扉部で栓刃挿入孔を塞ぐだけの構成であるために、水や比較的小さい埃や塵等は栓刃挿入孔の縁部と扉部との隙間から筐体内に入ってしまい、トラッキングや短絡等の原因となるという問題があった。特に、接地極を有する３極プラグを用いる場合、２極プラグを用いる場合よりも栓刃挿入孔の数が多いために水や埃の侵入防止が更に困難になるという問題があった。
【０００４】
本発明は、上記の点に鑑みて為されたもので、栓刃挿入孔から筐体内に水や埃が入るのを防ぐことができるテーブルタップを提供することを目的とする。
【課題を解決するための手段】
【０００５】
請求項１の発明は、上記目的を達成するために、プラグの電圧極の一対の栓刃がそれぞれ挿入される栓刃挿入孔及びプラグの接地極の栓刃が挿入される栓刃挿入孔を一組とした一乃至複数組のプラグ差込口を備えた筐体と、筐体内に収納されて各栓刃挿入孔に挿入された一対の電圧極の栓刃及び接地極の栓刃がそれぞれ接触接続される刃受部とを備えたテーブルタップであって、プラグ差込口の筐体外側における栓刃挿入孔の周縁部には、該栓刃挿入孔を囲繞するとともに、一対の電圧極の栓刃及び接地極の栓刃をそれぞれ栓刃挿入孔を介して刃受部に接触接続した際にプラグにおける筐体との対向面と密着する外側パッキン部が一体成形されたことを特徴とする。
【０００６】
請求項２の発明は、請求項１の発明において、外側パッキン部に囲繞された領域を一対の電圧極の栓刃が挿入される栓刃挿入孔を有する領域と接地極の栓刃が挿入される栓刃挿入孔を有する領域とに分離し且つ電圧極の栓刃及び接地極の栓刃をそれぞれ栓刃挿入孔を介して刃受部に接触接続した際にプラグにおける筐体との対向面と密着する分離パッキン部を設けたことを特徴とする。
【発明の効果】
【０００７】
請求項１の発明によれば、接地極を有する３極のプラグをプラグ差込口に差し込んだ際に、外側パッキン部がプラグにおける筐体との対向面と密着することでプラグと筐体との間の隙間を無くすことができるため、栓刃に対応する栓刃挿入孔の数が２極プラグを用いる場合よりも多い３極プラグを用いる場合でもプラグの栓刃を水や埃から保護して、トラッキングや短絡等が生じるのを防ぐことができる。
【０００８】
請求項２の発明によれば、電圧極の栓刃が挿入される栓刃挿入孔を有する領域が外側パッキン部及び分離パッキン部に囲繞されるので、接地極を有さない２極のプラグを差し込む場合にも、外側パッキン部及び分離パッキン部がプラグにおける筐体との対向面と密着することでプラグと筐体との間の隙間を無くすことができ、プラグの栓刃を水や埃から保護することができる。
【発明を実施するための最良の形態】
【０００９】
（実施形態１）
以下、本発明の実施形態１について図面を用いて説明する。但し、以下の説明では、図１（ａ）における紙面手前側を上方向、紙面奥側を下方向と定めるものとする。本実施形態は、図１（ａ）〜（ｅ）に示すように、３極プラグＰの電圧極の一対の栓刃Ｐ１，Ｐ２がそれぞれ挿入される栓刃挿入孔２ａ，２ｂ及び３極プラグＰの接地極の栓刃Ｐ３が挿入される栓刃挿入孔２ｃを１組とした３組のプラグ差込口２を備える筐体１と、筐体１内に収納されて各栓刃挿入孔２ａ〜２ｃに挿入された一対の電圧極の栓刃Ｐ１，Ｐ２及び接地極の栓刃Ｐ３がそれぞれ接触接続される刃受部（図示せず）とを備える。
【００１０】
筐体１は、図１（ａ）〜（ｅ）に示すように、上面が開口した長尺箱状のボディ１０と、ボディ１０の上面開口を覆うカバー１１とで構成されており、これらボディ１０とカバー１１は、何れも例えば塩化ビニル等の熱可塑性樹脂材料を用いた樹脂成形品である。
【００１１】
ボディ１０の底部の上面には、ボディ１０とカバー１１とを結合するための組立ねじＳが挿通されるねじ挿通孔１０ｃを備える略円筒状の３つのボス部（図示せず）が、ボディ１０の長手方向に沿って一体に突設されている。また、カバー１１の上壁部の下面には、ボディ１０のボス部と相対する位置に略円筒状の３つのボス部（図示せず）が一体に突設されており、各ボス部には組立ねじＳ用のねじ孔（図示せず）が、ボディ１０のボス部のねじ挿通孔１０ｃとそれぞれ連通するようにして形成されている。而して、ボディ１０の開口縁にカバー１１の開口縁を合わせ、カバー１１のねじ孔とボディ１０のねじ挿通孔１０ｃとを連通させた状態で組立ねじＳをカバー１１のねじ孔に螺合することでボディ１０とカバー１１とが結合される。
【００１２】
ボディ１０及びカバー１１の長手方向一端側（図１（ａ）における下側）の側面には、図１（ｃ）に示すように、各々略矩形状の切り欠き１０ａ，１１ａが設けられており、これらの切り欠き１０ａ，１１ａは、ボディ１０とカバー１１とを結合することでプラグ差込口２を筐体１外側に露出するための窓孔１２を構成する。また、カバー１１の上面には、図１（ａ）に示すように、長手方向に沿って２つの窓孔１２がカバー１１の厚み方向に貫設されている。
【００１３】
ボディ１０及びカバー１１の長手方向他端側（図１（ａ）における上側）の側面には、図１（ｅ）に示すように、各々略矩形状の切り欠き１０ｂ，１１ｂが設けられており、これらの切り欠き１０ｂ，１１ｂは、ボディ１０とカバー１１とを結合することで外部から引き回される電源コード４を筐体１内部に挿通させるための挿通孔１３を構成し、該挿通孔１３に後述するブッシング５が取り付けられる。
【００１４】
ブッシング５は、電源コード７の外周を覆う筒部５０と、筒部５０の一端側に設けられた鍔部５１とを一体に備えたゴム等の樹脂成形品から成り、鍔部５１を挿通孔１３に図示しない嵌合手段で嵌合することで筐体１に取り付けられる。
【００１５】
プラグ差込口２は、例えば耐トラッキング及び耐熱性に優れるユリア樹脂等の硬質樹脂材料を用いた樹脂成形品から成り、筐体１の窓孔１２から筐体１外側に露出する前面には栓刃挿入孔２ａ〜２ｃが貫設されている。これら栓刃挿入孔２ａ〜２ｃに３極プラグＰの栓刃Ｐ１〜Ｐ３を挿入することで、栓刃Ｐ１〜Ｐ３が栓刃挿入孔２ａ〜２ｃとそれぞれ相対する位置に設けられる刃受部に接続される。各刃受部は、筐体１内部に収納される金属製の３つの端子板（図示せず）に一体に設けられており、各端子板の一端側（図１（ａ）における上側）に設けられたかしめ部（図示せず）に電源コード４からの一対の芯線（図示せず）及びアース線（図示せず）の一端部を各々かしめ固定することで、電源コード４と各端子板とが電気的に接続される。而して、３極プラグＰの栓刃Ｐ１〜Ｐ３を栓刃挿入孔２ａ〜２ｃに挿入することで、各栓刃Ｐ１〜Ｐ３が電源コード４と電気的に接続される。尚、上記のような構成は周知であるので、ここでは詳細な説明を省略する。
【００１６】
プラグ差込口２の栓刃挿入孔２ａ〜２ｃの下方には、各栓刃挿入孔２ａ〜２ｃを開閉する扉部（図示せず）と、扉部が栓刃挿入孔２ａ〜２ｃを閉じる位置に移動するように扉部を付勢するばね部材（図示せず）とから成る開閉手段が設けられている。扉部は、プラグＰの栓刃Ｐ１〜Ｐ３を栓刃挿入孔２ａ〜２ｃに差し入れて押圧することで開き、栓刃Ｐ１〜Ｐ３を抜くことで閉じるようになっている。而して、プラグＰを使用しない時に栓刃挿入孔２ａ〜２ｃから筐体１内部にゴミ等の異物が侵入するのを防止することができる。尚、このような開閉手段は周知であるので、ここでは詳細な説明を省略する。
【００１７】
プラグ差込口２の筐体１外側における栓刃挿入孔２ａ〜２ｃの周縁部には、該栓刃挿入孔２ａ〜２ｃを囲繞するとともにプラグ差込口２と窓孔１２の縁部との間に介在する外側パッキン部３が一体成形されている。外側パッキン部３は、ゴムやエラストマー等の復元性（弾性）を有する軟質樹脂材料を用いた樹脂成形品から成り、その前端部はプラグ差込口２の前面よりも前方へと突出するとともに、その外形が一般的な３極プラグＰにおける栓刃Ｐ１〜Ｐ３が突設されている面の外形に収まるように形成されている。
【００１８】
このため、栓刃挿入孔２ａ〜２ｃを介してプラグＰの栓刃Ｐ１〜Ｐ３を筐体１内部の刃受部に接触接続した際には、３極プラグＰにおける栓刃Ｐ１〜Ｐ３が突設している面、即ち３極プラグＰにおける筐体１との対向面に外側パッキン部３の前端部が密着することになる（図２（ｂ），（ｃ）参照）。この時、外側パッキン部３は上述したように復元性（弾性）を有しているので、プラグ差込口２と３極プラグＰとの間で押し縮められるように変形して、３極プラグＰに多少の傾きや浮き上がり、或いは前記対向面に凹凸があった場合でも、外側パッキン部３が３極プラグＰに密着して３極プラグＰと筐体１との隙間を無くすことができる。
【００１９】
したがって、栓刃に対応する栓刃挿入孔の数が２極プラグを用いる場合よりも多い３極プラグＰを用いる場合でも栓刃Ｐ１〜Ｐ３を水や埃から保護し、トラッキングや短絡等が生じるのを防ぐことができる。
【００２０】
（実施形態２）
以下、本発明の実施形態２について図面を用いて説明する。但し、本実施形態の基本的構成は実施形態１と共通であるので、共通する部分には同一の符号を付して説明を省略する。本実施形態はプラグ差込口２に特徴があり、図３（ａ）に示すように、外側パッキン部３に囲繞された領域を一対の電圧極の栓刃Ｐ１，Ｐ２が挿入される栓刃挿入孔２ａ，２ｂを有する領域と接地極の栓刃Ｐ３が挿入される栓刃挿入孔２ｃを有する領域とに分離する分離パッキン部３０が外側パッキン部３に一体成形されている。
【００２１】
分離パッキン部３０は、その前端部がプラグ差込口の前面よりも前方へと突出するとともに、外側パッキン部３と分離パッキン部３０とで囲繞される外形が一般的な接地極を有さない２極プラグＰにおける栓刃Ｐ１，Ｐ２が突設している面の外形に収まるように形成されている。
【００２２】
このため、図３（ｂ），（ｃ）に示すように、接地極を有さない２極プラグＰを栓刃挿入孔２ａ，２ｂを介して筐体１内部の刃受部に接触接続した際には、２極のプラグＰにおける栓刃Ｐ１，Ｐ２が突設している面、即ち２極のプラグＰにおける筐体１との対向面に外側パッキン部３及び分離パッキン部３の前端部が密着することになる。したがって、上述した３極プラグＰを用いる場合と同様に、２極プラグＰの栓刃Ｐ１，Ｐ２を水や埃から保護して、トラッキングや短絡等が生じるのを防ぐことができる。尚、本実施形態は３極プラグＰも使用可能であり、実施形態１と同様の効果を奏することができるのは言うまでもない。
【図面の簡単な説明】
【００２３】
【図１】本発明のテーブルタップの実施形態１を示す図で、（ａ）は上面図で、（ｂ）は側面図で、（ｃ）は他方向の側面図で、（ｄ）は下面図で、（ｅ）はさらに他方向の側面図である。
【図２】同上の使用方法を示す図で、（ａ）は全体斜視図で、（ｂ）は３極のプラグを差し込む直前を示す図で、（ｃ）は３極のプラグを差し込んだ状態を示す図である。
【図３】本発明のテーブルタップの実施形態２を示す図で、（ａ）はプラグ差込口を示す図で、（ｂ）は全体斜視図で、（ｃ）は２極のプラグ及び３極のプラグを差し込む直前を示す図で、（ｄ）は２極のプラグ及び３極のプラグを差し込んだ状態を示す図である。
【符号の説明】
【００２４】
１  筐体
２  プラグ差込口
２ａ，２ｂ，２ｃ  栓刃挿入孔
３  外側パッキン部
【図１】
2008135232.tif 000003
【図２】
2008135232.tif 000004
【図３】
2008135232.tif 000005